(57)【要約】【課題】占有スペースが小さく、かつ、効率よく力を作用させて施錠することが可能な戸先錠及びこの戸先錠を備えた建具を提供する。【解決手段】錠受け部材の係合部と係合するフック部材の第１軸を中心とする回動を規制する回動規制部材の回動中心となる第２軸の軸心は係合部より室内側に配置され、第１軸の軸心は係合部より室内側かつ第２軸の軸心より戸先側に配置され、フック部材と回動規制部材とは、第１軸の軸心及び第２軸の軸心より室内側であって、見付け方向における第１軸の軸心と第２軸の軸心との間にて当接される。【選択図】図５
2010024804.tif 000002
【特許請求の範囲】
【請求項１】
室内外の境界に設けられる開口枠に設けられる錠受け部材と、当該開口枠内にスライド開閉自在に設けられる障子に設けられ前記錠受け部材と係合する錠本体と、を有する戸先錠であって、
前記錠受け部材は、前記障子が閉められる際に前記錠本体が当接される被当接部と、前記錠本体が係合される係合部と、を備え、
前記錠本体は、
前記障子を閉めることにより前記被当接部に当接されて第１軸を中心に回動し、前記係合部に係合するフック部を有するフック部材と、
前記係合部との係合が解除される方向に前記フック部材を回動すべく付勢する第１付勢部材と、
前記フック部材と当接して前記フック部材の回動を規制して前記係合部と前記フック部材との係合状態を維持させるとともに、第２軸を中心に回動すべく操作するための操作部が操作された際に前記フック部材の回動に対する規制を解除する回動規制部材と、
前記フック部材と前記係合部との係合が解除される方向への前記フック部の回動を規制すべく前記回動規制部材を付勢する第２付勢部材と、を備え、
前記第２軸の軸心は前記被当接部より室内側に配置され、前記第１軸の軸心は前記被当接部より室内側かつ前記第２軸の軸心より戸先側に配置され、
前記フック部材と前記回動規制部材とは、前記第１軸の軸心及び前記第２軸の軸心より室内側であって、見付け方向における前記第１軸の軸心と前記第２軸の軸心との間にて互いに当接されることを特徴とする戸先錠。
【請求項２】
請求項１に記載の戸先錠であって、
前記錠本体は、前記障子の戸先框に設けられ、
前記第１軸および前記第２軸は、前記戸先框の長手方向に沿って平行に配置されていることを特徴とする戸先錠。
【請求項３】
請求項１または請求項２に記載の戸先錠であって、
前記フック部材と前記係合部との前記係合状態を維持するために、前記回動規制部材が当接される前記フック部材の部位は、前記フック部と前記係合部とが係合したときの前記フック部材の回動角度に応じて複数設けられていることを特徴とする戸先錠。
【請求項４】
請求項１乃至請求項３のいずれかに記載の戸先錠にて施錠される前記障子および前記開口枠を備えた建具。
【請求項５】
請求項４に記載の建具であって、
前記障子は、中空部を有した樹脂製の戸先框を有し、当該戸先框の前記中空部内に補強材が設けられており、
前記補強材は、見込み方向に延びる底片と、前記底片の室外側端部から前記開口枠側へ延びる室外側片と、前記底片の室内側端部から前記開口枠側へ延びる室内側片と、を有して水平断面形状がコの字状に形成されており、
前記第２軸の軸心は、前記補強材の前記底片と前記室外側片と前記室内側片とで区画された空間の中に配置されていることを特徴とする建具。
【発明の詳細な説明】
【技術分野】
【０００１】
本発明は、開口枠にスライド開閉自在に設けた障子の戸先側にて施錠するための戸先錠およびこの戸先錠を備えた建具に関する。
【背景技術】
【０００２】
引き戸を障子の戸先側にて施錠するための戸先錠としては、たとえば、障子の戸当たり框に固定され障子の厚み方向を軸とする横軸形の係止部材が設けられており、窓枠には横軸形の第１軸を介して縦方向に回動可能に枢支されたロック部材と、横軸形の第２軸を介して縦方向に回動可能に枢支された拘束部材とがバネ部材により連結された施錠部とを有する施錠装置が知られている。この施錠装置は、第１軸が第２軸より上方に配置され、障子を閉める際に係止部材が、第１軸と第２軸との間に進入してロック部材に当接してロック部材を回動させる。ロック部材が回動することによりロック部材に設けられた溝に係止部材が第１軸より障子側にて係止される。このとき、第１軸より反障子側に配置されているバネ部材が、ロック部材の回動に伴って伸張されるとともに拘束部材を回動させる。この結果、拘束部材の回動により拘束部材とロック部材とが互いに回動を規制するように形成された係止部が係止されて、上下方向に押しつけあってロック部材がロックされる。拘束部材とロック部材との係止状態を解除するためのレバーは、バネ部材より反障子側に延出されており、このレバーを下方に移動させることにより拘束部材とロック部材との係止状態が解除されるように構成されている（例えば、特許文献１参照）。
【特許文献１】特開２００５−１３９６９８号公報
【発明の開示】
【発明が解決しようとする課題】
【０００３】
しかしながら、上記従来の施錠装置は、障子を閉める際に進入してくる係止部材の上側に第１軸に枢支されたロック部材、下側に第２軸に枢支された拘束部材が配置されているので上下方向において広いスペースを必要とする。また、拘束部材とロック部材との係止状態を解除するためのレバーは、第１軸及び第２軸に対しロック部材の溝に係止部材が係止される位置の反対側に延出されているので、見付け方向にも広いスペースを必要とする。このため、施錠装置が設けられる戸先框や枠が大きくなり、より広い開口が求められる窓の開口が狭められてしまうという課題がある。
【０００４】
本発明は、かかる課題に鑑みてなされたものであり、その目的とするところは、占有スペースが小さく、かつ、効率よく力を作用させて施錠することが可能な戸先錠及びこの戸先錠を備えた建具を提供することにある。
【課題を解決するための手段】
【０００５】
かかる目的を達成するために本発明の戸先錠は、室内外の境界に設けられる開口枠に設けられる錠受け部材と、当該開口枠内にスライド開閉自在に設けられる障子に設けられ前記錠受け部材と係合する錠本体と、を有する戸先錠であって、前記錠受け部材は、前記障子が閉められる際に前記錠本体が当接される被当接部と、前記錠本体が係合される係合部と、を備え、前記錠本体は、前記障子を閉めることにより前記被当接部に当接されて第１軸を中心に回動し、前記係合部に係合するフック部を有するフック部材と、前記係合部との係合が解除される方向に前記フック部材を回動すべく付勢する第１付勢部材と、前記フック部材と当接して前記フック部材の回動を規制して前記係合部と前記フック部材との係合状態を維持させるとともに、第２軸を中心に回動すべく操作するための操作部が操作された際に前記フック部材の回動に対する規制を解除する回動規制部材と、前記フック部材と前記係合部との係合が解除される方向への前記フック部の回動を規制すべく前記回動規制部材を付勢する第２付勢部材と、を備え、前記第２軸の軸心は前記被当接部より室内側に配置され、前記第１軸の軸心は前記被当接部より室内側かつ前記第２軸の軸心より戸先側に配置され、前記フック部材と前記回動規制部材とは、前記第１軸の軸心及び前記第２軸の軸心より室内側であって、見付け方向における前記第１軸の軸心と前記第２軸の軸心との間にて互いに当接されることを特徴とする戸先錠である。
【０００６】
このような戸先錠によれば、第２軸が被当接部よりも室外側に位置する場合に比べ、第２軸と操作部との距離が近くなり、また、第１軸や、フック部材と回動規制部材との当接部も被当接部より室内側に位置するため、フック部材や回動規制部材などの各部材を小さくすることが可能であり、もって戸先錠の占有スペースをより小さくすることが可能である。
【０００７】
かかる戸先錠であって、前記錠本体は、前記障子の戸先框に設けられ、前記第１軸および前記第２軸は、前記戸先框の長手方向に沿って平行に配置されていることが望ましい。  
このような戸先錠によれば、第１軸を中心に回動するフック部材と第２軸を中心に回動する回動規制部材とをいずれも戸先框の長手方向に長く形成することが可能である。すなわち、フック部材のフック部と錠受け部材の係合部との接触部分や、第１付勢部材の付勢力と第２付勢部材の付勢力が作用するフック部材と回動規制部材との接触部分を、見付け方向及び見込み方向のサイズを変更することなく、大きくすることができるので、損傷しにくい戸先錠を実現することが可能であるとともに、強固に施錠することが可能な戸先錠を実現することが可能である。
【０００８】
かかる戸先錠であって、前記フック部材と前記係合部との前記係合状態を維持するために、前記回動規制部材が当接される前記フック部材の部位は、前記フック部と前記係合部とが係合したときの前記フック部材の回動角度に応じて複数設けられていることが望ましい。  
２つの部材が係合する場合には、部品の加工精度や組み立て精度、施工精度などにより両者の間にがたつきが生じる虞があるが、上記戸先錠によれば、フック部材と係合部との係合状態を維持するために、回動規制部材が当接されるフック部材の部位が、フック部と係合部とが係合したときのフック部材の回動角度に応じて複数設けられているので、部品の加工精度等に応じて回動規制部材が当接されるフック部材の部位を変更することが可能である。このため、フック部材のフック部と錠受け部材の係合部とを、がたつくことなく確実に係合させることが可能である。
【０００９】
また、上記戸先錠にて施錠される前記障子および前記開口枠を備えた建具である。  
ここで建具としては、開口枠内に障子を水平方向にスライド開閉自在に設けた引き違い窓や片引き窓、開口枠内に障子を垂直方向にスライド開閉自在に設けたシングルハングタイプの上げ下げ窓やダブルハングタイプの上げ下げ窓、などがあげられる。  
このような建具によれば、第１軸及び第２軸の軸心はいずれも被当接部より室内側に配置されているので、第１軸を中心に回動するフック部材と、第２軸を中心に回動する回動規制部材とを見込み方向に対し被当接部より室内側に偏って配置される。このとき、室内側は、フック部材のフック部と係合部との係合を解除する操作をする側なので、戸先錠の占有スペースをより小さくすることが可能であり、戸先錠が備えられる框の見付け寸法が小さな建具を実現することが可能である。
【００１０】
また、第２軸が被当接部よりも室外側に位置する場合に比べ、第２軸を室内側寄りに配置して第２軸と操作部との距離を小さくできるため、第２軸を軸心として回動する回動規制部材の大きさを小さくすることができる。よって、戸先錠が備えられる框の見込み寸法が小さな建具を実現することが可能である。
【００１１】
かかる建具であって、前記障子は、中空部を有した樹脂製の戸先框を有し、当該戸先框の前記中空部内に補強材が設けられており、前記補強材は、見込み方向に延びる底片と、前記底片の室外側端部から前記開口枠側へ延びる室外側片と、前記底片の室内側端部から前記開口枠側へ延びる室内側片と、を有して水平断面形状がコの字状に形成されており、前記第２軸の軸心は、前記補強材の前記底片と前記室外側片と前記室内側片とで区画された空間の中に配置されていることが望ましい。  
このような建具であれば、戸先框内に設けた断面コの字形状の補強材内の空間を利用して第２軸の軸心を配置することができるため、戸先框の見付け寸法をより小さくすることが可能である。
【発明の効果】
【００１２】
本発明によれば、占有スペースが小さく、かつ、効率よく力を作用させて施錠することが可能な戸先錠及びこの戸先錠を備えた建具を提供することが可能である。
【発明を実施するための最良の形態】
【００１３】
以下、本発明の一実施形態に係る戸先錠を及びこの戸先錠を備えた建具について図を参照して説明する。
【００１４】
本実施形態の戸先錠を備えた建具として、室内外の境界に設けられ、躯体に取り付けられた四方枠と、四方枠に取り付けられて見付け方向に移動して開閉可能な障子を備えた引き戸としての引き違い窓を例に挙げて説明する。
【００１５】
本実施形態の建具は、障子の戸先框の室内側に戸先錠の操作部が設けられている。以下の説明では、建具を室内側から見たときに上下となる方向を上下方向、左右となる方向を左右方向または見付け方向、室内外方向である奥行き方向を見込み方向として示す。また、戸先錠単体について説明する場合であっても、戸先錠が建具に取り付けられた状態にて上下を示すこととする。
【００１６】
本実施形態の建具１０は、図１に示すように、室内外の境界に設けられ建物や壁などの開口に取り付けられる開口枠１１と、開口枠１１に設けられ見付け方向に移動自在な内障子１２及び外障子１６とを有している。そして、内障子１２及び外障子１６を構成する框は、中空部を有する樹脂製の成形部材であり、戸先側に位置する戸先框１４、１７と戸先框１４、１７の先端が収容される縦枠１１ａとを施錠するための戸先錠２０が設けられ、戸先框１４の中空部内には、補強材１５（図４）が設けられている。
【００１７】
内障子１２側に設けられた戸先錠２０と外障子１６側に設けられた戸先錠２０とは、左右が反転している構造なので、ここでは図１の右側に示した内障子１２側に設けられた戸先錠２０を例に挙げて説明する。
【００１８】
戸先錠２０は、図２に示すように、縦枠１１ａ側に錠受け部材２２が設けられ、内障子１２の戸先框１４側に錠受け部材２２と係合する錠本体３０が設けられている。
【００１９】
錠受け部材２２は、ステンレス製の板材であり、縦枠１１ａを介して固定板２８にビス止めされる座板部２４と座板部２４の室外側の端部からほぼ直角に延出され、見付け方向における召し合わせ側に突出する係合壁部２６とを有している。座板部２４にはビス６０が貫通される貫通孔２４ａが設けられ、係合壁部２６には、錠本体３０の後述するフック部３７ｂが係合される係合部としての係合孔２６ｂが設けられている。この錠受け部材２２は、縦枠１１ａの、内障子１２の戸先框１４が入り込む溝部１１ｂに係合壁部２６が内障子１２側に突出するようにビス６０にて固定されている。
【００２０】
錠本体３０は、図３に示すように、戸先框１４の室内に臨む板部（以下、室内板部という）１４ａに固定される基部材３１と、基部材３１と戸先框１４の室内板部１４ａとにそれぞれ設けられた開口３１ｃ、１４ｂを貫通する操作レバー３２と、室内板部１４ａの室外側に設けられる補強板３３と、鉛直方向（戸先框１４の長手方向）に沿って配置される第１軸３４及び第２軸３５と、２本の軸３４、３５を支持するホルダ３６と、第１軸３４を中心に回動自在に設けられたフック部材３７と、フック部材３７を所定方向に回動すべく付勢する第１付勢部材としてのフック部材側バネ３８と、第２軸３５を中心に回動自在に設けられ、フック部材３７の回動を規制するための回動規制部材３９と、回動規制部材３９を付勢する第２付勢部材としての規制部側バネ４０とを有している。ここで、第１軸３４及び第２軸３５は、いずれも係合壁部２６より室内側に軸心が位置するように配置されている。また、第１軸３４は第２軸３５より戸先側に配置されている。
【００２１】
基部材３１は、室内板部１４ａに当接されてビス止めされる概ね直方体状の固定部３１ａと、固定部３１ａの、召し合わせ框側の端から室内方向に向かって突出された室内側壁部３１ｂと、固定部３１ａの上端部側と下端部側とを中央の部位と区画する上下の区画壁部３１ｄと、上側の区画壁部３１ｄより上側の部位、及び、下側の区画壁部３１ｄより下側の部位にそれぞれ設けられビス６０が貫通される固定孔３１ｅと、中央の領域に設けられ操作レバー３２が貫通される開口３１ｃとを有している。上側の区画壁部３１ｄより上側の部位、及び、下側の区画壁部３１ｄより下側の部位には、それぞれビス６０にて錠本体３０が固定された後に、ビス６０を隠すためのカバー３１ｆが取り付けられる。
【００２２】
操作レバー３２は、開口３１ｃに貫通され基部材３１の固定部３１ａより室内側に突出する操作部３２ａと、操作部３２ａと交差する方向に僅か湾曲させて設けられ基部材３１の固定部３１ａの室内側の部位にて案内されて摺動する被ガイド部３２ｂと、室内板部１４ａの開口１４ｂから室外側に突出された作用部３２ｃとを有し、作用部３２ｃの先端には、回動規制部材３９の後述する操作片３９ｂを保持する保持部３２ｄが設けられている。
【００２３】
補強板３３は、室内板部１４ａの室外側面に当接されホルダ３６とともにフック部材３７と回動規制部材３９とをほぼ収容するように、基部材３１の固定部３１ａを固定するビス６０によりホルダ３６とともに共締めされる板状の部材である。補強板３３は、室内板部１４ａの室外側面に当接された際に、開口１４ｂを覆わないように切り欠かれている。
【００２４】
ホルダ３６は、上下方向に間隔を隔てて対向するように配置され、第１軸３４及び第２軸３５が貫通される上下の軸受け板部３６ａ、３６ｂと、上下の軸受け板部３６ａ、３６ｂの室外側の端部間を連結する連結壁部３６ｃと、上側の軸受け板部３６ａの室内側の端部から上方に延出された上側延出部３６ｄと、下側の軸受け板部３６ｂの室内側の端部から下方に延出された下側延出部３６ｅと、を有している。
【００２５】
上下の軸受け板部３６ａ、３６ｂの、図３における右側すなわち戸先側の端部には、上側の軸受け板部３６ａから下方に垂設され、また、下側の軸受け板部３６ｂから立設されて、フック部材側バネ３８によるフック部材３７の回動を規制する回動規制片３６ｆが設けられている。上側延出部３６ｄ及び下側延出部３６ｅには、補強板３３に当接されてビス６０が螺合されるビス孔３６ｇが形成されている。
【００２６】
フック部材３７の回動軸となる第１軸３４は、上側の軸受け板部３６ａの上方から挿通され、フック部材側バネ３８、フック部材３７、下側の軸受け板部３６ｂを貫通して、下側の軸受け板部３６ｂの下でＥリング６２が嵌め込まれて支持されている。回動規制部材３９の回動軸となる第２軸３５は、上側の軸受け板部３６ａの上方から挿通され、回動規制部材側バネ４０、回動規制部材３９、下側の軸受け板部３６ｂを貫通して、下側の軸受け板部３６ｂの下でＥリング６２が嵌め込まれて支持されている。ホルダ３６に支持された第１軸３４及び第２軸３５は、上下方向（戸先框１４の長手方向）に沿わされるとともに、互いに間隔を隔てて平行をなすように配置されている。
【００２７】
フック部材３７は、図３、図４に示すように、第１軸３４に支持された状態にて、上下方向におけるいずれの位置における水平断面もほぼ同形状に形成されたブロック部材である。フック部材３７は、上方から見た際の水平断面において、第１軸３４が貫通されている本体部３７ａと、第１軸３４より戸先側に、錠受け部材２２の係合孔２６ｂに係合されるフック部３７ｂと、障子を閉める際に錠受け部材２２により押圧される押圧部３７ｃとが設けられ、第１軸３４を挟んで、フック部３７ｂ及び押圧部３７ｃと反対側に設けられ、後述する回動規制部材３９が当接される規制時当接部３７ｄ及び解除時当接部３７ｈとが設けられ、第１軸３４が貫通される本体部３７ａと繋がって一体に形成されている。
【００２８】
フック部３７ｂと押圧部３７ｃとは、本体部３７ａ側にて繋がっている。また、内障子１２が開放されて錠受け部材２２との係合が解除されている状態では、先端側は見込み方向に間隔を隔てて配置され、フック部３７ｂは、縦枠１１ａに設けられた錠受け部材２２の係合壁部２６より室内側に配置され、押圧部３７ｃは、錠受け部材２２の係合壁部２６と見付け方向に並ぶ位置に配置されている。
【００２９】
そして、押圧部３７ｃが、室外側に位置するとともに、第１軸３４を中心にフック部材３７の先端側が室内側に向かって回動するように、フック部材側バネ３８が設けられている。フック部材側バネ３８は、ねじりコイルばねであり、図３に示すように、フック部材３７の上側に配置され、フック部材３７とともに第１軸３４が貫通されており、一方の端部はホルダ３６に、他方の端部はフック部材３７にそれぞれ掛けられている。
【００３０】
回動規制部材３９は、図３、図４に示すように、第２軸３５に支持された状態にて、上下方向におけるいずれの位置における水平断面もほぼ同形状に形成されたブロック部材である。回動規制部材３９は、上方から見た際の水平断面において、第２軸３５が貫通されている本体部３９ａと、第２軸３５より室内側に向かって突出され、操作レバー３２の保持部３２ｄに保持される操作片３９ｂと、第２軸３５より室内側及び戸先側に向かって突出されフック部材３７に当接してフック部材３７の回動を規制する規制部３９ｃとを有している。
【００３１】
そして、回動規制部材３９には、第２軸３５を中心に回動規制部材３９の操作片３９ｂ及び規制部３９ｃが戸先側から室外側に向かって回動するように、規制部材側バネ４０が設けられている。規制部材側バネ４０は、ねじりコイルばねであり、図３に示すように、回動規制部材３９の下側に配置され、回動規制部材３９とともに第２軸３５が貫通されており、一方の端部はホルダ３６に、他方の端部は回動規制部材３９にそれぞれ掛けられている。
【００３２】
補強材１５は、見込み方向に延びる底片１５ａと、底片１５ａの室外側端部から戸先側（縦枠１１ａ側）へ延びる室外側片１５ｂと、底片１５ａの室内側端部から戸先側（縦枠１１ａ側）へ延びる室内側片１５ｃと、を有し、水平断面形状がコの字状をなす金属製の部材である。
【００３３】
上記錠本体３０を構成する部材は、図４に示すように、戸先框１４の中空部内に設けられた補強材１５によって区画された空間を利用して配置されている。本実施形態の建具１０では、第２軸３５の軸心が、補強材１５の底片１５ａと室外側片１５ｂと室内側片１５ｃとで区画された空間の中に配置されている。
【００３４】
次に、内障子１２の移動により戸先錠２０の錠受け部材２２と錠本体３０とが係合する動作について図５を用いて説明する。
【００３５】
図５（ａ）に示すように、錠受け部材２２と錠本体３０との係合が解除されている状態では、フック部材３７は、先端が室内側に回動する方向にフック部材側バネ３８により付勢され、フック部３７ｂがホルダ３６の上下の延出部３６ｆに当接されることにより、姿勢が維持されている。このとき、前述したようにフック部３７ｂは、縦枠１１ａに設けられた錠受け部材２２の係合壁部２６より室内側に配置され、押圧部３７ｃは、錠受け部材２２の係合壁部２６（被当接部２６ａ）と見付け方向に並ぶ位置に配置されている。
【００３６】
また、回動規制部材３９は規制部材側バネ４０に付勢されて、フック部材３７の解除時当接部３７ｈに当接している。このとき、回動規制部材の操作片３９ｂは室内側に向けられており、操作レバー３２の保持部３２ｄと係合している。
【００３７】
図５（ａ）の状態から内障子１２を閉めると、まず、図５（ｂ）に示すように、錠受け部材２２の係合壁部２６の先端である被当接部２６ａにフック部材３７の押圧部３７ｃが当接される。その後、さらに内障子１２を縦枠１１ａに近づけると、図５（ｃ）に示すように、押圧部３７ｃが被当接部２６ａにより見付け方向に押圧されてフック部材３７が第１軸３４を中心に、フック部３７ｂの先端がフック部材側バネ３８の付勢力に抗して室外側に移動するように回動し始める。このとき、フック部材３７の回動に伴ってフック部３７ｂが室外側に移動し始めるとともに、解除時当接部３７ｈは回動規制部材３９の規制部３９ｃの戸先側の面を摺動し始める。その後、解除時当接部３７ｈの規制部３９ｃとの接触位置が、第２軸３５側から規制部３９ｃの先端側に移動していく。
【００３８】
そして、フック部材３７が回動し続けると、フック部３７ｂが係合孔２６ｂと係合する。一方、解除時当接部３７ｈは規制部３９ｃの先端を越え、戸先側の側面から外れると、規制部材側バネ４０の付勢力により、規制部３９ｃの先端が戸先側から室外側に向かう方向に、回動規制部材３９が回動する。回動規制部材３９が回動することにより、規制部３９ｃの先端がフック部材３７の規制時当接部３７ｄに当接される。そして、この状態では、フック部材３７の規制時当接部３７ｄが規制部３９ｃの先端に当接しているため、フック部材３７はフック部材側バネ３８の付勢力による回動が不可能となるため、フック部３７ｂと係合孔２６ｂとの係合が維持された施錠状態となる。このとき、操作レバー３２は、回動規制部材３９の操作片３９ｂの移動に伴って移動され、操作部３２ａが戸先側に移動される。
【００３９】
また、フック部３７ｂが係合孔２６ｂと係合して施錠された状態にて、操作部３２ａを基部材３１の室内側壁部３１ｂ側に移動させることにより、規制部材側バネ４０の付勢力に抗して回動規制部材３９を回動させて、規制部３９ｃと規制時当接部３７ｄとの当接を解除すると、フック部３７ｂの先端がフック部材側バネ３８の付勢力によって回動し、フック部３７ｂと係合孔２６ｂとの係合を解除して容易に解錠することが可能である。
【００４０】
本実施形態の規制時当接部３７ｄは、図６に示すように、３つの異なる面が階段状に形成されている。解除時当接部３７ｈが規制部３９ｃの先端を越えた直後は、図５（ｄ）及び図６（ａ）に示すように、フック部材３７の、第１軸３４から最も離れた位置に設けられた規制時当接部３７ｄ（以下、先端側規制時当接部３７ｅという）に規制部３９ｃの先端が当接される。先端側規制時当接部３７ｅに規制部３９ｃの先端が当接された状態で、内障子１２が縦枠１１ａに当接されて移動できない状態となった場合には、先端側規制時当接部３７ｅに規制部３９ｃの先端が当接された状態が維持される。
【００４１】
このとき、フック部材３７と回動規制部材３９との当接部は、第１軸３４の軸心及び第２軸３５の軸心より室内側であって、見付け方向における第１軸３４の軸心と前記第２軸３５の軸心との間にて当接されている。この状態では、フック部材側バネ３８はフック部材３７を、先端側規制時当接部３７ｅが室外側に向かう方向に付勢しており、規制部材側バネ４０は回動規制部材３９を、規制部３９ｃが室外側に向かう方向に付勢している。このため、見付け方向においてフック部材３７と回動規制部材３９との間にて、第１軸３４及び第２軸３５より室内側にて当接されている先端側規制時当接部３７ｅと規制部３９ｃの先端とが、いずれもフック部材３７と回動規制部材３９との間から室外側に向かって回動する方向に付勢されている。このため、フック部材３７と回動規制部材３９とが互いの回動を規制し合うことになり、フック部材側バネ３８及び規制部材側バネ４０の付勢力を効率よく作用させることが可能である。
【００４２】
先端側規制時当接部３７ｅに規制部３９ｃの先端が当接された状態で、なお内障子１２が縦枠１１ａ側に移動可能な場合には、内障子１２はさらに縦枠１１ａ側に移動されることになるが、規制時当接部３７ｄが１つの場合には、施錠状態であっても内障子１２と縦枠１１ａとの間にがたつきが残ることになる。このため、上記建具１０は、先端側規制時当接部３７ｅの他に、２つの規制時当接部３７ｆ、３７ｇを備えている。このため、先端側規制時当接部３７ｅに規制部３９ｃの先端が当接された状態で、内障子１２が縦枠１１ａ側に移動可能な場合には、内障子１２をさらに縦枠１１ａ側に移動させることにより、図６（ｂ）に示すように、３つの規制時当接部３７ｅ、３７ｆ、３７ｇのうち、中央位置する規制時当接部３７ｄ（以下、中央規制時当接部３７ｆという）に規制部３９ｃの先端を当接させて、内障子１２と縦枠１１ａとの間にてがたつきが生じることなく施錠することが可能である。また、中央規制時当接部３７ｆに規制部３９ｃの先端を当接させても、なお内障子１２が縦枠１１ａ側に移動可能な場合には、内障子１２をさらに縦枠１１ａ側に移動させることにより、図６（ｃ）に示すように、最も第１軸３４側に位置する規制時当接部３７ｄ（以下、軸側規制時当接部３７ｇという）に規制部３９ｃの先端を当接させて、内障子１２と縦枠１１ａとの間にてがたつきが生じることなく施錠することが可能である。
【００４３】
このように、フック部３７ｂと係合孔２６ｂとの係合状態を維持するために、回動規制部材３９の規制部３９ｃの先端が当接される規制時当接部３７ｄが、フック部３７ｂと係合孔２６ｂとが係合したときのフック部材３７の回動角度に応じて３段階設けられているので、規制部３９ｃの先端が当接される規制時当接部３７ｄを変更させて、がたつくことなく確実に係合させることが可能である。また、２つ以上の部材が係合する場合には部品の加工精度や組み立て精度、施工精度などにより、両者の間にがたつきが生じる場合があるが、フック部材３７の回動を規制するために規制部３９ｃの先端が当接される規制時当接部３７ｄを段階的に複数備えることにより、両者の間に生じるがたつきを抑え、確実に施錠することが可能である。
【００４４】
上記実施形態の建具１０によれば、第１軸３４及び第２軸３５の軸心はいずれも錠受け部材２２の被当接部より室内側に配置されているので、第１軸３４を中心に回動するフック部材３７と、第２軸３５を中心に回動する回動規制部材３９とが見込み方向に対し被当接部より室内側に配置される。このとき、室内側は、フック部３７ｂと係合孔２６ｂとの係合を解除する操作をする側なので、戸先錠２０の占有スペースをより小さくすることが可能である。
【００４５】
また、樹脂製の戸先框１４内に設けた断面コの字形状の補強材１５内の空間を利用して第２軸３５の軸心を配置したので、戸先框１４の見付け寸法をより小さくすることが可能である。
【００４６】
また、錠部材３０のその他の部材においても、例えば図４に示すように、フック部材３７や回動規制部材３９の回動範囲として断面コの字形状の補強材１５にて区画された空間内を利用したり、この空間内に規制部材側バネ４０を配置したりすることによって、戸先框１４の見付け寸法を小さくすることが可能である。
【００４７】
また、フック部材側バネ３８は、フック部３７ｂと係合部２６ｂとの係合が解除される方向にフック部材３７を回動すべく付勢しており、規制部材側バネ４０は、フック部３７ｂと係合部２６ｂとの係合が解除される方向へのフック部材３７の回動を規制すべく回動規制部材を付勢している。このため、フック部材３７に回動規制部材３９が当接してフック部材３７の回動が規制された状態では、フック部材側バネ３８の付勢力と回動規制部材側バネ４０の付勢力とが相反する方向に作用する。
【００４８】
そして、フック部材３７が有するフック部３７ｂは内障子１２を閉めることにより、フック部材３７の回動中心となる第１軸３４の軸心より室外側に位置する係合部２６ｂと係合し、フック部材３７の回動を規制するための回動規制部材３９とは、第１軸３４の軸心より室内側であって第２軸３５との間にて当接されている。このため、フック部材３７において回動規制部材３９が当接されている部位とフック部３７ｂとは、第１軸３４を挟んで反対側に位置している。そして、フック部材３７を付勢するフック部材側バネ３８は係合部２６ｂとの係合が解除される方向にフック部材３７を回動すべく付勢しているので、フック部材３７において回動規制部材３９が当接されている部位は室外方向に移動すべく第１付勢部材の付勢力が作用している。
【００４９】
このため、フック部材３７に回動規制部材３９が当接してフック部材３７の回動が規制された状態において、フック部材３７と回動規制部材３９との当接している部位を、第１軸３４の軸心及び第２軸３５の軸心より室内側であって、見付け方向における第１軸３４の軸心と第２軸３５の軸心との間に配置することにより、フック部材側バネ３８の付勢力にて回動規制部材３９の回動を規制し、規制部材側バネ４０の付勢力によりフック部材３７の回動を規制すべく作用させることが可能であり、フック部材側バネ３８及び規制部材側バネ４０の付勢力を効率よく作用させて施錠することが可能である。
【００５０】
また、第１軸３４及び第２軸３５が沿わされている鉛直方向は戸先框１４の長手方向となるので、第１軸３４を中心に回動するフック部材３７と第２軸３５を中心に回動する回動規制部材３９とをいずれも鉛直方向（戸先框１４の長手方向）に長く形成することが可能である。すなわち、フック部材３７のフック部３７ｂと錠受け部材２２の係合孔２６ｂ（係合部）との接触部分や、フック部材側バネ３８の付勢力と規制部材側バネ４０の付勢力が作用するフック部材３７と回動規制部材３９との接触部分を大きくできるので、損傷しにくい戸先錠２０を実現することが可能であるとともに、強固に施錠することが可能な戸先錠２０を実現することが可能である。
【００５１】
また、第２軸３５が被当接部（係合壁部２６）よりも室外側に位置する場合に比べ、第２軸３５を室内側寄りに配置して第２軸３５と操作部３２ａとの距離を小さくできるため、第２軸３５を軸心として回動する回動規制部材３９の大きさを小さくすることができる。よって、戸先錠２０が備えられる戸先框１４の見込み寸法を小さくすることが可能である。
【００５２】
また、上記実施形態の建具１０は、フック部材側バネ３８及び回動規制部材側バネ４０の付勢力を効率よく作用させて施錠することが可能な上記戸先錠２０を備え、高い防犯性を備えることが可能である。
【００５３】
上記実施形態においては、障子を構成する框を樹脂製としたが、これに限るものではなく、例えば、アルミニウム製の押し出し成形部材で框が構成されていても良い。
【００５４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００５５】
例えば、上記実施形態においては、引き違い窓を例に挙げたが、これに限ることなく開口枠内に障子を水平方向にスライド開閉自在に設けた片引き窓、開口枠内に障子を垂直方向にスライド開閉自在に設けたシングルハングタイプの上げ下げ窓やダブルハングタイプの上げ下げ窓などであっても良い。
【００５６】
また、上記実施形態では、規制部３９ｃの先端が当接される規制時当接部が階段状に形成された３つの面で形成されている例について説明したが、規制時当接部の数は３つに限るものではない。
【図面の簡単な説明】
【００５７】
【図１】本実施形態に係る建具を室内側から見た図である。
【図２】縦枠に設けられる錠受け部材を示す斜視図である。
【図３】戸先框に設けられる錠本体を示す分解斜視図である。
【図４】戸先錠の構成を説明するための水平断面図である。
【図５】戸先錠の動作を説明するための図である。
【図６】規制時当接部と規制部の先端との当接状態を説明するための図である。
【符号の説明】
【００５８】
１０  建具、１１  枠、１１ａ  縦枠、１２  内障子、１４  戸先框、
１５  補強材、１５ａ底片、１５ｂ  室外側片、１５ｃ  室内側片、２０  戸先錠、
２２  錠受け部材、２６  係合壁部、２６ａ  被当接部、２６ｂ  係合孔、
３０  錠本体、３２  操作レバー、３２ａ  操作部、３４  第１軸、
３５  第２軸、３７  フック部材、３７ｂ  フック部、３７ｃ  押圧部、
３７ｄ  規制時当接部、３７ｅ  規制時当接部、３７ｅ  先端側規制時当接部、
３７ｆ  規制時当接部、３７ｆ  中央規制時当接部、３７ｇ  軸側規制時当接部、
３７ｈ  解除時当接部、３８  フック部材側バネ、３９  回動規制部材、
３９ｃ  規制部、４０  規制部材側バネ
【図１】
2010024804.tif 000003
【図２】
2010024804.tif 000004
【図３】
2010024804.tif 000005
【図４】
2010024804.tif 000006
【図５】
2010024804.tif 000007
【図６】
2010024804.tif 000008